【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
シールリングアセンブリであって、前記シールリングアセンブリは、
界面を備えているリングであって、前記界面は、前記リングを通して完全には延びていない前記リング内の楔形状の軸方向陥凹を備え、前記リングは、前記リングが摩耗するにつれて、前記界面が広くなることを引き起こすように構成されている、リングと、
楔形状の軸方向陥凹と係合するようにかつ前記楔形状の軸方向陥凹に対するシールを形成するように構成された楔を備えている間隙カバー要素と
を備え、
前記楔は、前記リングの厚さより小さい厚さを備え、前記間隙カバー要素は、ガス圧によって半径方向外向きに押し付けられ、前記間隙カバー要素は、前記界面が広くなるにつれて、半径方向に外向きに移動し、前記シールを維持するように構成されている、シールリングアセンブリ。
【請求項２】
前記リングは、ボアに対してシールするように構成された半径方向外側表面を備え、
前記間隙カバー要素は、前記リングが摩耗するにつれて、前記ボアに対してシールするように構成された半径方向外側表面を備え、
前記界面が広くなるにつれて、前記間隙カバー要素の前記半径方向外側表面の少なくとも一部が、広くなるように構成されている、請求項１に記載のシールリングアセンブリ。
【請求項３】
前記第１および第２の端面は、楔形状の陥凹を形成し、前記間隙カバー要素は、前記楔形状の陥凹と係合するように構成された楔を備えている、請求項１に記載のシールリングアセンブリ。
【請求項４】
前記リングは、低圧領域と接触するように構成された後部面を備え、前記間隙カバー要素は、前記後部面に隣接して前記第１および第２の端面との前記シールを形成するように構成されている、請求項１に記載のシールリングアセンブリ。
【請求項５】
前記リングは、第１のリングであり、前記シールリングアセンブリは、前記第１のリングに軸方向に隣接して配置され、前記第１のリングに対してかつ前記間隙カバー要素に対して軸方向にシールするように構成された少なくとも１つのリングセグメントを備えている第２のリングを備えている、請求項１に記載のシールリングアセンブリ。
【請求項６】
前記リングおよび前記１つの間隙カバー要素のうちの少なくとも１つは、それぞれの自己潤滑性材料から成る、請求項１に記載のシールリングアセンブリ。
【請求項７】
前記リングおよび前記間隙カバー要素は、液体潤滑剤なしに動作するように構成されている、請求項１に記載のシールリングアセンブリ。
【請求項８】
前記界面は、第１の界面であり、
前記間隙カバー要素は、第１の間隙カバー要素であり、
前記リングは、第２の界面を画定する第３の端面と第４の端面とを備え、前記第３および第４の端面の各々は、少なくとも部分的に半径方向に内向きに面し、前記リングは、前記リングが摩耗するにつれて、前記第２の界面が広くなることを引き起こすように構成され、
前記シールリングアセンブリは、前記第３および第４の端面に対して第２のシールを形成するように構成された第２の間隙カバー要素をさらに備え、
前記第２の間隙カバー要素は、前記第２の界面が広くなるにつれて、半径方向に外向きに移動し、前記第２のシールを維持するように構成されている、請求項１に記載のシールリングアセンブリ。
【請求項９】
前記リングは、少なくとも２つのリングセグメントを備えている、請求項８に記載のシールリングアセンブリ。
【請求項１０】
前記リングは、前記界面をさらに画定する第１の軸端面と第２の軸端面とをさらに備え、
前記間隙カバー要素は、前記第１および第２の軸端面に対してシールするようにさらに構成されている、請求項１に記載のシールリングアセンブリ。
【請求項１１】
前記第１および第２の端面のうちの前記少なくとも一方は、方位角成分と、半径方向成分とを含む、請求項１に記載のシールリングアセンブリ。
【請求項１２】
ピストンアセンブリであって、前記ピストンアセンブリは、
円周方向溝を備えているピストンであって、前記円周方向溝は、前記ピストンの外側表面の周囲に延びている、ピストンと、
前記円周方向溝の中に配置されたシールリングアセンブリと
を備え、
前記シールリングアセンブリは、
界面を備えているリングであって、前記界面は、前記リングを通して完全には延びていない前記リング内の楔形状の軸方向陥凹を備え、前記リングは、前記リングが摩耗するにつれて、前記界面が広くなることを引き起こすように構成されている、リングと、
楔形状の軸方向陥凹と係合するようにかつ前記楔形状の軸方向陥凹に対するシールを形成するように構成された楔を備えている間隙カバー要素と
を備え、
前記楔は、前記リングの厚さより小さい厚さを備え、前記間隙カバー要素は、ガス圧によって半径方向外向きに押し付けられ、前記間隙カバー要素は、前記界面が広くなるにつれて、半径方向に外向きに移動し、前記シールを維持するように構成されている、ピストンアセンブリ。
【請求項１３】
前記リングは、ボアに対してシールするように構成された半径方向外側表面を備え、
前記間隙カバー要素は、前記リングが摩耗するにつれて、前記ボアに対してシールするように構成された半径方向外側表面を備え、
前記界面が広くなるにつれて、前記間隙カバー要素の前記半径方向外側表面の少なくとも一部が、広くなるように構成されている、請求項１２に記載のピストンアセンブリ。
【請求項１４】
前記第１および第２の端面は、楔形状の陥凹を形成し、前記間隙カバー要素は、前記楔形状の陥凹と係合するように構成された楔を備えている、請求項１２に記載のピストンアセンブリ。
【請求項１５】
前記リングは、低圧領域と接触するように構成された後部面を備え、前記間隙カバー要素は、前記後部面に隣接して前記第１および第２の端面との前記シールを形成するように構成されている、請求項１２に記載のピストンアセンブリ。
【請求項１６】
前記リングは、第１のリングであり、前記ピストンアセンブリは、前記第１のリングに軸方向に隣接して配置され、前記第１のリングに対してかつ前記間隙カバー要素に対して軸方向にシールするように構成された少なくとも１つのリングセグメントを備えている第２のリングを備えている、請求項１２に記載のピストンアセンブリ。
【請求項１７】
前記リングおよび前記１つの間隙カバー要素のうちの少なくとも１つは、それぞれの自己潤滑性材料から成る、請求項１２に記載のピストンアセンブリ。
【請求項１８】
前記リングおよび前記間隙カバー要素は、液体潤滑剤なしに動作するように構成されている、請求項１２に記載のピストンアセンブリ。
【請求項１９】
前記界面は、第１の界面であり、
前記間隙カバー要素は、第１の間隙カバー要素であり、
前記リングは、第２の界面を画定する第３の端面と第４の端面とを備え、前記第３および第４の端面の各々は、少なくとも部分的に半径方向に内向きに面し、前記リングは、前記リングが摩耗するにつれて、前記第２の界面が広くなることを引き起こすように構成され、
前記シールリングアセンブリは、前記第３および第４の端面に対して第２のシールを形成するように構成された第２の間隙カバー要素をさらに備え、
前記第２の間隙カバー要素は、前記第２の界面が広くなるにつれて、半径方向に外向きに移動し、前記第２のシールを維持するように構成されている、請求項１２に記載のピストンアセンブリ。
【請求項２０】
前記リングは、少なくとも２つのリングセグメントを備えている、請求項１９に記載のピストンアセンブリ。
【請求項２１】
前記リングは、前記界面をさらに画定する第１の軸端面と第２の軸端面とをさらに備え、
前記間隙カバー要素は、前記第１および第２の軸端面に対してシールするようにさらに構成されている、請求項１２に記載のピストンアセンブリ。
【請求項２２】
前記第１および第２の端面のうちの前記少なくとも一方は、方位角成分と、半径方向成分とを含む、請求項１２に記載のピストンアセンブリ。
【請求項２３】
デバイスであって、前記デバイスは、
ボアを備えているシリンダと、
円周方向溝を備えているピストンであって、前記円周方向溝は、前記ピストンの外側表面の周囲に延び、前記ピストンは、前記ボア内で軸方向に平行移動するように構成されている、ピストンと、
前記円周方向溝の中に配置されたシールリングアセンブリと
を備え、
前記シールリングアセンブリは、前記ボアに対してシールするように構成され、前記シールリングアセンブリは、
界面を備えているリングであって、前記界面は、前記リングを通して完全には延びていない前記リング内の楔形状の軸方向陥凹を備え、前記リングは、前記リングが摩耗するにつれて、前記界面が広くなることを引き起こすように構成されている、リングと、
楔形状の軸方向陥凹と係合するようにかつ前記楔形状の軸方向陥凹に対するシールを形成するように構成された楔を備えている間隙カバー要素と
を備え、
前記楔は、前記リングの厚さより小さい厚さを備え、前記間隙カバー要素は、ガス圧によって半径方向外向きに押し付けられ、前記間隙カバー要素は、前記界面が広くなるにつれて、半径方向に外向きに移動し、前記シールを維持するように構成されている、デバイス。
【請求項２４】
前記リングは、前記ボアに対してシールするように構成された半径方向外側表面を備え、
前記間隙カバー要素は、前記リングが摩耗するにつれて、前記ボアに対してシールするように構成された半径方向外側表面を備え、
前記界面が広くなるにつれて、前記間隙カバー要素の前記半径方向外側表面の少なくとも一部が、広くなるように構成されている、請求項２３に記載のデバイス。
【請求項２５】
前記第１および第２の端面は、楔形状の陥凹を形成し、前記間隙カバー要素は、前記楔形状の陥凹と係合するように構成された楔を備えている、請求項２３に記載のデバイス。
【請求項２６】
前記ボアは、低圧領域を備え、前記リングは、前記低圧領域と接触するように構成された後部面を備え、前記間隙カバー要素は、前記後部面に隣接して前記第１および第２の端面との前記シールを形成するように構成されている、請求項２３に記載のデバイス。
【請求項２７】
前記リングは、第１のリングであり、前記デバイスは、前記第１のリングに軸方向に隣接して配置され、前記第１のリングに対してかつ前記間隙カバー要素に対して軸方向にシールするように構成された少なくとも１つのリングセグメントを備えている第２のリングを備えている、請求項２３に記載のデバイス。
【請求項２８】
前記リングおよび前記１つの間隙カバー要素のうちの少なくとも１つは、それぞれの自己潤滑性材料から成る、請求項２３に記載のデバイス。
【請求項２９】
前記リングおよび前記間隙カバー要素は、液体潤滑剤なしに動作するように構成されている、請求項２３に記載のデバイス。
【請求項３０】
前記第１および第２の端面のうちの前記少なくとも一方は、方位角成分と、半径方向成分とを含む、請求項２３に記載のデバイス。
【手続補正２】
【補正対象書類名】明細書
【補正対象項目名】００１６
【補正方法】変更
【補正の内容】
【００１６】
いくつかの実施形態では、本開示は、シリンダと、ピストンと、シールリングアセンブリとを含むデバイスを対象とする。シリンダは、ボアを含み、ピストンは、ピストンの外側表面の周囲に延びている円周方向溝を含み、ピストンは、ボア内で軸方向に平行移動するように構成される。シールリングアセンブリは、円周方向溝の中に配置され、シールリングアセンブリは、ボアに対してシールするように構成される。
本発明は、例えば、以下を提供する。
（項目１）
シールリングアセンブリであって、前記シールリングアセンブリは、
界面を画定する第１の端面と第２の端面とを備えているリングであって、前記第１および第２の端面のうちの少なくとも一方は、少なくとも部分的に半径方向に内向きに面し、前記リングは、前記リングが摩耗するにつれて、前記界面が広くなることを引き起こすように構成されている、リングと、
前記第１および第２の端面に対してシールを形成するように構成された間隙カバー要素と
を備え、
前記間隙カバー要素は、前記界面が広くなるにつれて、半径方向に外向きに移動し、前記シールを維持するように構成されている、シールリングアセンブリ。
（項目２）
前記リングは、ボアに対してシールするように構成された半径方向外側表面を備え、
前記間隙カバー要素は、前記リングが摩耗するにつれて、前記ボアに対してシールするように構成された半径方向外側表面を備え、
前記界面が広くなるにつれて、前記間隙カバー要素の前記半径方向外側表面の少なくとも一部が、広くなるように構成されている、項目１に記載のシールリングアセンブリ。
（項目３）
前記第１および第２の端面は、楔形状の陥凹を形成し、前記間隙カバー要素は、前記楔形状の陥凹と係合するように構成された楔を備えている、項目１に記載のシールリングアセンブリ。
（項目４）
前記リングは、低圧領域と接触するように構成された後部面を備え、前記間隙カバー要素は、前記後部面に隣接して前記第１および第２の端面との前記シールを形成するように構成されている、項目１に記載のシールリングアセンブリ。
（項目５）
前記リングは、第１のリングであり、前記シールリングアセンブリは、前記第１のリングに軸方向に隣接して配置された第２のリングをさらに備え、前記第２のリングは、前記第１のリングに対して、かつ前記間隙カバー要素に対して軸方向にシールするように構成された少なくとも１つのリングセグメントを備えている、項目１に記載のシールリングアセンブリ。
（項目６）
前記リングおよび前記１つの間隙カバー要素のうちの少なくとも１つは、それぞれの自己潤滑性材料から成る、項目１に記載のシールリングアセンブリ。
（項目７）
前記リングおよび前記間隙カバー要素は、液体潤滑剤なしに動作するように構成されている、項目１に記載のシールリングアセンブリ。
（項目８）
前記界面は、第１の界面であり、
前記間隙カバー要素は、第１の間隙カバー要素であり、
前記リングは、第２の界面を画定する第３の端面と第４の端面とを備え、前記第３および第４の端面の各々は、少なくとも部分的に半径方向に内向きに面し、前記リングは、前記リングが摩耗するにつれて、前記第２の界面が広くなることを引き起こすように構成され、
前記シールリングアセンブリは、前記第３および第４の端面に対して第２のシールを形成するように構成された第２の間隙カバー要素をさらに備え、
前記第２の間隙カバー要素は、前記第２の界面が広くなるにつれて、半径方向に外向きに移動し、前記第２のシールを維持するように構成されている、項目１に記載のシールリングアセンブリ。
（項目９）
前記リングは、少なくとも２つのリングセグメントを備えている、項目８に記載のシールリングアセンブリ。
（項目１０）
前記リングは、前記界面をさらに画定する第１の軸端面と第２の軸端面とをさらに備え、
前記間隙カバー要素は、前記第１および第２の軸端面に対してシールするようにさらに構成されている、項目１に記載のシールリングアセンブリ。
（項目１１）
前記第１および第２の端面のうちの前記少なくとも一方は、方位角成分と、半径方向成分とを含む、項目１に記載のシールリングアセンブリ。
（項目１２）
ピストンアセンブリであって、前記ピストンアセンブリは、
円周方向溝を備えているピストンであって、前記円周方向溝は、前記ピストンの外側表面の周囲に延びている、ピストンと、
前記円周方向溝の中に配置されたシールリングアセンブリと
を備え、
前記シールリングアセンブリは、
界面を画定する第１の端面と第２の端面とを備えているリングであって、前記第１および第２の端面のうちの少なくとも一方は、少なくとも部分的に半径方向に内向きに面し、前記リングは、前記リングが摩耗するにつれて、前記界面が広くなることを引き起こすように構成されている、リングと、
前記第１および第２の端面に対してシールを形成するように構成された間隙カバー要素と
を備え、
前記間隙カバー要素は、前記界面が広くなるにつれて、半径方向に外向きに移動し、前記シールを維持するように構成されている、ピストンアセンブリ。
（項目１３）
前記リングは、ボアに対してシールするように構成された半径方向外側表面を備え、
前記間隙カバー要素は、前記リングが摩耗するにつれて、前記ボアに対してシールするように構成された半径方向外側表面を備え、
前記界面が広くなるにつれて、前記間隙カバー要素の前記半径方向外側表面の少なくとも一部が、広くなるように構成されている、項目１２に記載のピストンアセンブリ。
（項目１４）
前記第１および第２の端面は、楔形状の陥凹を形成し、前記間隙カバー要素は、前記楔形状の陥凹と係合するように構成された楔を備えている、項目１２に記載のピストンアセンブリ。
（項目１５）
前記リングは、低圧領域と接触するように構成された後部面を備え、前記間隙カバー要素は、前記後部面に隣接して前記第１および第２の端面との前記シールを形成するように構成されている、項目１２に記載のピストンアセンブリ。
（項目１６）
前記リングは、第１のリングであり、前記ピストンアセンブリは、前記第１のリングに軸方向に隣接して配置された第２のリングをさらに備え、前記第２のリングは、前記第１のリングに対して、かつ前記間隙カバー要素に対して軸方向にシールするように構成された少なくとも１つのリングセグメントを備えている、項目１２に記載のピストンアセンブリ。
（項目１７）
前記リングおよび前記１つの間隙カバー要素のうちの少なくとも１つは、それぞれの自己潤滑性材料から成る、項目１２に記載のピストンアセンブリ。
（項目１８）
前記リングおよび前記間隙カバー要素は、液体潤滑剤なしに動作するように構成されている、項目１２に記載のピストンアセンブリ。
（項目１９）
前記界面は、第１の界面であり、
前記間隙カバー要素は、第１の間隙カバー要素であり、
前記リングは、第２の界面を画定する第３の端面と第４の端面とを備え、前記第３および第４の端面の各々は、少なくとも部分的に半径方向に内向きに面し、前記リングは、前記リングが摩耗するにつれて、前記第２の界面が広くなることを引き起こすように構成され、
前記シールリングアセンブリは、前記第３および第４の端面に対して第２のシールを形成するように構成された第２の間隙カバー要素をさらに備え、
前記第２の間隙カバー要素は、前記第２の界面が広くなるにつれて、半径方向に外向きに移動し、前記第２のシールを維持するように構成されている、項目１２に記載のピストンアセンブリ。
（項目２０）
前記リングは、少なくとも２つのリングセグメントを備えている、項目１９に記載のピストンアセンブリ。
（項目２１）
前記リングは、前記界面をさらに画定する第１の軸端面と第２の軸端面とをさらに備え、
前記間隙カバー要素は、前記第１および第２の軸端面に対してシールするようにさらに構成されている、項目１２に記載のピストンアセンブリ。
（項目２２）
前記第１および第２の端面のうちの前記少なくとも一方は、方位角成分と、半径方向成分とを含む、項目１２に記載のピストンアセンブリ。
（項目２３）
デバイスであって、前記デバイスは、
ボアを備えているシリンダと、
円周方向溝を備えているピストンであって、前記円周方向溝は、前記ピストンの外側表面の周囲に延び、前記ピストンは、前記ボア内で軸方向に平行移動するように構成されている、ピストンと、
前記円周方向溝の中に配置されたシールリングアセンブリと
を備え、
前記シールリングアセンブリは、前記ボアに対してシールするように構成され、前記シールリングアセンブリは、
界面を画定する第１の端面と第２の端面とを備えているリングであって、前記第１および第２の端面のうちの少なくとも一方は、少なくとも部分的に半径方向に内向きに面し、前記リングが摩耗するにつれて、前記界面が広くなることを引き起こすように構成されている、リングと、
前記第１および第２の端面に対してシールを形成するように構成された間隙カバー要素と
を備え、
前記間隙カバー要素は、前記界面が広くなるにつれて、半径方向に外向きに移動し、前記シールを維持するように構成されている、デバイス。
（項目２４）
前記リングは、前記ボアに対してシールするように構成された半径方向外側表面を備え、
前記間隙カバー要素は、前記リングが摩耗するにつれて、前記ボアに対してシールするように構成された半径方向外側表面を備え、
前記界面が広くなるにつれて、前記間隙カバー要素の前記半径方向外側表面の少なくとも一部が、広くなるように構成されている、項目２３に記載のデバイス。
（項目２５）
前記第１および第２の端面は、楔形状の陥凹を形成し、前記間隙カバー要素は、前記楔形状の陥凹と係合するように構成された楔を備えている、項目２３に記載のデバイス。
（項目２６）
前記ボアは、低圧領域を備え、前記リングは、前記低圧領域と接触するように構成された後部面を備え、前記間隙カバー要素は、前記後部面に隣接して前記第１および第２の端面との前記シールを形成するように構成されている、項目２３に記載のデバイス。
（項目２７）
前記リングは、第１のリングであり、前記デバイスは、前記第１のリングに軸方向に隣接して配置された第２のリングをさらに備え、前記第２のリングは、前記第１のリングに対して、かつ前記間隙カバー要素に対して軸方向にシールするように構成された少なくとも１つのリングセグメントを備えている、項目２３に記載のデバイス。
（項目２８）
前記リングおよび前記１つの間隙カバー要素のうちの少なくとも１つは、それぞれの自己潤滑性材料から成る、項目２３に記載のデバイス。
（項目２９）
前記リングおよび前記間隙カバー要素は、液体潤滑剤なしに動作するように構成されている、項目２３に記載のデバイス。
（項目３０）
前記第１および第２の端面のうちの前記少なくとも一方は、方位角成分と、半径方向成分とを含む、項目２３に記載のデバイス。